(57)【特許請求の範囲】
【請求項１】
監視対象であるプラント設備の全体系統図をベース画面として表示する監視画面と、この監視画面へのポインタの接近操作を検出するタッチセンサを有する表示手段、
前記タッチセンサにより入力されたポインタ接近位置信号に基づいてポインタ接近座標を計算する入力処理手段、
前記監視画面に表示される全体系統図に含まれる各系統部位についての細部系統図を記憶する系統図データ記憶手段、
前記入力処理手段により計算されたポインタ接近座標に該当する系統部位の細部系統図の候補を前記系統図データ記憶手段から複数抽出する系統図データ抽出手段、
前記監視画面に表示される全体系統図上に前記ポインタ接近座標の近傍を囲む座標枠を表示するとともに、前記監視画面上にウィンドウ画面を作成し、前記系統図データ抽出手段によって抽出された細部系統図の複数の候補を前記ウィンドウ画面に表示する出力処理手段、
前記ウィンドウ画面に表示された細部系統図の複数の候補のいずれかに前記ポインタでタッチ操作したとき、タッチされた細部系統図を前記ウィンドウ画面に拡大表示する画面切替手段を備え、
前記系統図データ記憶手段は、左右方向に互いに隣接する系統部位の細部系統図を一列に並べた状態で系統図番号を付して記憶しており、前記ウィンドウ画面に表示された細部系統図に前記ポインタにより左右方向のスライド操作をすることにより、前記画面切替手段は、該細部系統図の前後の系統図番号の細部系統図を前記系統図データ記憶手段から呼び出し、シームレスに切替え表示することを特徴とするプラント監視装置。
【請求項２】
請求項１に記載のプラント監視装置であって、前記タッチセンサは、前記監視画面への前記ポインタによる接近操作、１点タッチ操作、複数点同時タッチ操作、及び前記監視画面に前記ポインタを接触させた状態でのスライド操作をそれぞれ検出するものであり、これらの各操作を判別する画面操作判別手段を備えたことを特徴とするプラント監視装置。
【請求項３】
請求項２に記載のプラント監視装置であって、前記ポインタとしてオペレータの手指を用い、前記スライド操作は複数本の手指により行うことを特徴とするプラント監視装置。
【請求項４】
請求項１に記載のプラント監視装置であって、前記ウィンドウ画面に表示された細部系統図の切替え表示に伴い、前記監視画面に表示された全体系統図上の座標枠を移動させる画面追跡手段をさらに備えたことを特徴とするプラント監視装置。
【請求項５】
請求項１に記載のプラント監視装置であって、前記ウィンドウ画面に表示された細部系統図への前記ポインタによる複数点同時タッチ操作に対し、そのタッチ数に対応したメニュー画面を抽出する関連メニュー抽出手段をさらに備え、前記関連メニュー抽出手段により抽出されたメニュー画面は、前記出力処理手段により前記ウィンドウ画面に表示されることを特徴とするプラント監視装置。
【請求項６】
請求項５に記載のプラント監視装置であって、前記系統図データ記憶手段に記憶された細部系統図に関連するロジックデータを記憶するロジックデータ記憶手段をさらに備え、前記関連メニュー抽出手段は、前記ウィンドウ画面に表示された細部系統図への前記ポインタによる２点同時タッチ操作に対して、前記ロジックデータ記憶手段から該細部系統図に関連するロジックデータ一覧メニューを抽出することを特徴とするプラント監視装置。
【請求項７】
請求項５に記載のプラント監視装置であって、前記系統図データ記憶手段に記憶された細部系統図に関連するトレンドデータを記憶するトレンドデータ記憶手段をさらに備え、前記関連メニュー抽出手段は、前記ウィンドウ画面に表示された細部系統図への前記ポインタによる３点同時タッチ操作に対して、前記トレンドデータ記憶手段から該細部系統図に関連するトレンドデータ一覧メニューを抽出することを特徴とするプラント監視装置。 
【発明の詳細な説明】
【技術分野】
【０００１】
本発明は、プラント監視装置に関し、特にプラント監視装置の監視画面にプラント系統図を表示させて監視操作する際のタッチパネルの操作性の向上に関する。
【背景技術】
【０００２】
従来のプラント監視装置の例として、監視対象である設備の各部に配設した計測手段により当該設備の稼動状態を計測するとともに、タッチパネルを有する監視画面上に当該設備の全体系統図を表示し、画面上をタッチ操作することによりタッチした座標に該当する系統部位の細部系統図を抽出して当該設備の稼動状態を監視するものがある。
【０００３】
例えば特許文献１では、ＣＲＴ上に表示された設備の構成機器を表す部分にタッチすることによって、ＣＲＴ上の表示が当該構成機器の細部画面に順次切替わり、いずれの画面においても当該構成機器の異常部位が識別可能に表示される設備稼働監視装置が提示されている。
【０００４】
また、特許文献２では、プラントの警報状態を一括して表示した警報一括画面を検索ベースとし、オペレータがこの警報一括画面中の特定の警報表示をタッチセンサにて指定することにより、警報に関連したすべての画面が表示され、さらに各画面の拡大表示を指定することにより拡大画面が表示されるプロセス監視装置が提示されている。
【先行技術文献】
【特許文献】
【０００５】
【特許文献１】特開昭６４−７９８０１号公報
【特許文献２】特開昭６１−２１７８９７号公報
【発明の概要】
【発明が解決しようとする課題】
【０００６】
このように、タッチパネルを採用した従来のプラント監視装置では、表示装置に表示された全体系統図またはメニュー画面等をオペレータがタッチ操作することにより、タッチした座標に該当する細部系統図または関連画面等に切替わるように構成されていた。このため、例えば現在表示している細部系統部とは別の部位の細部系統図を表示させたい場合、元の全体系統図に戻り、再度、見たい部分にタッチする必要があり、端末操作が多くオペレータの負担が大きいという問題があった。
【０００７】
また、ベースとなる全体系統図から細部系統図に画面が切替わると、オペレータは、全体系統図における位置を把握しながら細部系統図を見ることができないため、現在表示されている細部系統図が全体系統図のどの部位に該当するのか分からなくなるという問題があった。
【０００８】
本発明は、上記のような問題点を解決するためになされたものであり、プラント設備の全体系統図及び細部系統図を表示する監視画面において監視操作する際のオペレータの負担が小さく、操作性の高いプラント監視装置を提供することを目的とする。
【課題を解決するための手段】
【０００９】
本発明に係るプラント監視装置は、監視対象であるプラント設備の全体系統図をベース画面として表示する監視画面及びこの監視画面へのポインタの接近を検出するタッチセンサを有する表示手段と、タッチセンサにより入力されたポインタ接近位置信号に基づいてポインタ接近座標を計算する入力処理手段と、監視画面に表示される全体系統図に含まれる各系統部位についての細部系統図を記憶する系統図データ記憶手段と、入力処理手段により計算されたポインタ接近座標に該当する系統部位の細部系統図の候補を系統図データ記憶手段から複数抽出する系統図データ抽出手段と、監視画面に表示される全体系統図上にポインタ接近座標の近傍を囲む座標枠を表示するとともに、監視画面上にウィンドウ画面を作成し、系統図データ抽出手段によって抽出された細部系統図の複数の候補をウィンドウ画面に表示する出力処理手段と、ウィンドウ画面に表示された細部系統図の複数の候補のいずれかにポインタでタッチ操作したとき、タッチされた細部系統図をウィンドウ画面に拡大表示する画面切替手段とを備え、系統図データ記憶手段は、左右方向に互いに隣接する系統部位の細部系統図を一列に並べた状態で系統図番号を付して記憶しており、ウィンドウ画面に表示された細部系統図にポインタにより左右方向のスライド操作をすることにより、画面切替手段は、該細部系統図の前後の系統図番号の細部系統図を系統図データ記憶手段から呼び出し、シームレスに切替え表示するものである。 
【発明の効果】
【００１０】
本発明によれば、監視画面に表示される全体系統図上にポインタ接近座標の近傍を囲む座標枠を表示するとともに、監視画面上のウィンドウ画面にポインタ接近座標に該当する系統部位の細部系統図を表示するようにしたので、オペレータは全体系統図上でどの系統部位を監視中であるかを把握、確認しながら監視操作を行うことが可能であり、また、ウィンドウ画面に拡大表示された細部系統図にスライド操作することにより、該細部系統図の前後の系統図番号の細部系統図を表示させることができるため、オペレータはプラントの構造に沿った監視操作を容易に行うことができ、オペレータの負担が小さく、操作性が高いプラント監視装置が得られる。
【図面の簡単な説明】
【００１１】
【図１】本発明の実施の形態１に係るプラント監視装置の構成を示す概略図である。
【図２】本発明の実施の形態１に係るプラント監視装置の動作を示す図である。
【図３】本発明の実施の形態１に係るプラント監視装置の監視画面に表示される画像の具体例を示す図である。
【図４】本発明の実施の形態２に係るプラント監視装置の構成を示す概略図である。
【図５】本発明の実施の形態２に係るプラント監視装置の動作を示す図である。
【図６】本発明の実施の形態２に係るプラント監視装置の監視画面に表示される画像の具体例を示す図である。
【図７】本発明の実施の形態３に係るプラント監視装置の動作を示す図である。
【図８】本発明の実施の形態３に係るプラント監視装置の監視画面に表示される画像の具体例を示す図である。
【図９】本発明の実施の形態４に係るプラント監視装置の構成を示す概略図である。
【図１０】本発明の実施の形態４に係るプラント監視装置の動作を示す図である。
【図１１】本発明の実施の形態４に係るプラント監視装置の監視画面に表示される画像の具体例を示す図である。
【図１２】本発明の実施の形態５に係るプラント監視装置の構成を示す概略図である。
【図１３】本発明の実施の形態５に係るプラント監視装置の動作を示す図である。
【図１４】本発明の実施の形態５に係るプラント監視装置の監視画面に表示される画像の具体例を示す図である。
【発明を実施するための形態】
【００１２】
実施の形態１．
以下、本発明の実施の形態１について図面に基づいて説明する。図１は、本実施の形態１に係るプラント監視装置の構成を示している。図１に示すように、プラント監視装置１を構成する表示手段２は、監視対象であるプラント設備の全体系統図であるプラント全体系統図をベース画面として表示する監視画面（図示せず）と、この監視画面へのポインタの接近を検出するタッチセンサ３を有する。タッチセンサ３は、監視画面を３Ｄタッチ方式にて操作するもので、本実施の形態１ではオペレータの手指で操作を行うが、ポインタとしてタッチペン等のツールを用いることもできる。
【００１３】
入力処理手段４は、タッチセンサ３により入力されたポインタ接近位置信号（以下、指接近位置信号とする）に基づいてポインタ接近座標（以下、指接近座標とする）を計算する。また、系統図データ記憶手段６は、監視画面に表示されるプラント全体系統図に含まれる各系統部位（構成機器）についての細部系統図データを記憶している。系統図データ抽出手段５は、入力処理手段４により計算された指接近座標に該当する系統部位の細部系統図を系統図データ記憶手段６から抽出する。
【００１４】
出力処理手段７は、監視画面に表示された全体系統図上に指接近座標の近傍を囲む座標枠を表示するとともに、監視画面上にウィンドウ画面を作成する。さらに、系統図データ抽出手段５によって系統図データ記憶手段６から抽出された細部系統図を、ウィンドウ画面に表示する。
【００１５】
次に、本実施の形態１に係るプラント監視装置１の動作について、図２のフローチャートを用いて説明する。まず、ステップ１（Ｓ１）において、表示手段２の監視画面には、ベース画面であるプラント全体系統図が表示されている。ステップ２（Ｓ２）において、オペレータは、監視画面に表示されたプラント全体系統図上で、監視したい系統部位に手指を接近させる。これにより、タッチセンサ３が指接近操作を検出し、指接近位置信号が入力処理手段４に入力される。
【００１６】
続いてステップ３（Ｓ３）において、入力処理手段４は、指接近位置信号に基づいて指接近座標を計算する。また、Ｓ３と同時に、ステップ４（Ｓ４）において、出力処理手段７は、監視画面上にウィンドウ画面を作成する。なお、このとき、プラント全体系統図上に、指接近座標の近傍を囲む座標枠が表示される。
【００１７】
Ｓ３に続いて、ステップ５（Ｓ５）では、系統図データ抽出手段５により、指接近座標に該当する系統部位の細部系統図が系統図データ記憶手段６から抽出される。本実施の形態１では、プラント全体系統図上の座標枠に該当する系統部位の４つの細部系統図が候補として抽出される。さらに、ステップ６（Ｓ６）において、表示手段２への表示が実行され、Ｓ４で作成されたウィンドウ画面に、Ｓ５で抽出された４つの細部系統図が表示される。
【００１８】
図３は、本実施の形態１に係るプラント監視装置１の監視画面に表示される画像の具体例を示している。図３（ａ）に示すように、表示手段２の監視画面２ａには、ベース画面としてプラント全体系統図３０が表示されている。このプラント全体系統図３０に対し、オペレータが手指を接近させると、図３（ｂ）に示すように指接近座標の近傍が楕円枠２１にて囲まれる。
【００１９】
続いて、楕円枠２１で囲まれた指接近座標の近傍に該当する系統部位の細部系統図がウィンドウ画面２３に表示され、オペレータが監視画面２ａから手指を離すと、図３（ｃ）に示すように、楕円枠２１は消え、矩形の座標枠２２に変わる。なお、手指を離した後も、ウィンドウ画面２３に表示された細部系統図は残る。図３（ｃ）に示す例では、ウィンドウ画面２３に、Ａ細部系統図３０１、Ｂ細部系統図３０２、Ｃ細部系統図３０３、及びＤ細部系統図３０４の４つの細部系統図が表示されている。
【００２０】
なお、本実施の形態１では、指接近座標に該当する系統部位の細部系統図として４つの候補を抽出し、ウィンドウ画面２３に表示するようにしたが、本発明はこれに限定されるものではない。抽出される細部系統図の候補は４つ以外の数であってもよく、また、１つであってもよい。
【００２１】
以上のように、本実施の形態１によれば、監視画面２ａに表示されるプラント全体系統図３０上に指接近座標の近傍を囲む座標枠２２を表示するとともに、監視画面２ａ上のウィンドウ画面２３に指接近座標に該当する系統部位の細部系統図を表示するようにしたので、オペレータは、プラント全体系統図３０上でどの系統部位を監視中であるかを把握、確認しながら、監視操作及びプラント操作を行うことが可能である。
【００２２】
また、ベース画面として常にプラント全体系統図３０を表示し、細部系統図をウィンドウ画面２３に表示することにより、現在表示されている細部系統図を他の系統部位の細部系統図に変更したい場合に、従来のようにプラント全体系統図の画面を呼び出す必要がないため、操作が容易でオペレータの負担が小さく、操作性が高いプラント監視装置が得られる。
【００２３】
実施の形態２．
図４は、本発明の実施の形態２に係るプラント監視装置の構成を示している。なお、図４中、図１と同一、相当部分には同一符号を付し、説明を省略する。本実施の形態２に係るプラント監視装置１は、上記実施の形態１における入力処理手段４（図１参照）に替わり、画面操作判別手段４１と座標計算手段８を備え、さらに、ウィンドウ画面の表示を切替える画面切替手段９を備えている。
【００２４】
表示手段２のタッチセンサ３は、監視画面への手指による接近操作、１点タッチ操作、複数点同時タッチ操作、及び監視画面に手指を接触させた状態でのスライド操作をそれぞれ検出する。画面操作判別手段４１は、これらの操作を判別し、指接近操作があった場合には、座標計算手段８において指接近座標を計算する。すなわち、画面操作判別手段４１と座標計算手段８は、上記実施の形態１における入力処理手段４と同じ機能を含むものである。
【００２５】
また、画面切替手段９は、上記実施の形態１においてウィンドウ画面に表示された細部系統図の複数の候補のいずれかに手指でタッチ操作したとき、タッチされた細部系統図をウィンドウ画面に拡大表示する。ウィンドウ画面へのタッチ操作が画面操作判別手段４１により判別されると、画面切替手段９は、タッチ操作された細部系統図を拡大表示するよう出力処理手段７に伝達する。
【００２６】
次に、本実施の形態２に係るプラント監視装置１の動作について、図５のフローチャートを用いて説明する。なお、図５中、Ｓ１〜Ｓ６は上記実施の形態１の図２と同じ内容であり、Ｓ１〜Ｓ５については説明を省略する。Ｓ６において、表示手段２のウィンドウ画面に細部系統図の複数の候補が表示される。続いて、ステップ７（Ｓ７）において、画面操作判別手段４１は、細部系統図の複数の候補へのタッチ操作の有無を判別する。
【００２７】
Ｓ７において、タッチ操作があった場合（ＹＥＳ）、ステップ８（Ｓ８）に進み、画面切替手段９は、タッチされた細部系統図の拡大表示を出力処理手段７へ伝達する。これにより、Ｓ６において表示手段２への表示が実行され、タッチされた細部系統図がウィンドウ画面に拡大表示される。また、Ｓ７において、タッチ操作が無かった場合（ＮＯ）は、Ｓ６のウィンドウ画面のままで処理が終了する。
【００２８】
図６は、本実施の形態２に係るプラント監視装置１の監視画面に表示される画像の具体例を示している。なお、図６中、図３と同一、相当部分には同一符号を付している。図６（ａ）では、座標枠２２に該当する系統部位の細部系統図として４つの候補（Ａ細部系統図３０１、Ｂ細部系統図３０２、Ｃ細部系統図３０３、及びＤ細部系統図３０４）がウィンドウ画面２３に表示され、オペレータの手指が、Ｄ細部系統図３０４にタッチ操作を行っている。これにより、図６（ｂ）に示すように、タッチ操作されたＤ細部系統図３０４が、ウィンドウ画面２３に拡大表示される。
【００２９】
本実施の形態２によれば、上記実施の形態１と同様の効果に加え、細部系統図の複数の候補のいずれかにタッチ操作することにより、ウィンドウ画面に拡大表示されるようにしたので、拡大表示された細部系統図に対して監視操作及びプラント操作を行うことができ、操作性が向上する。
【００３０】
実施の形態３．
本発明の実施の形態３に係るプラント監視装置の構成は、上記実施の形態２と同様であるので、図４を流用して説明する。本実施の形態３では、系統図データ記憶手段６は、左右方向に互いに隣接する系統部位の細部系統図を一列に並べた状態で系統図番号を付して記憶しており、ウィンドウ画面に表示された細部系統図にポインタにより左右方向のスライド操作をすることにより、画面切替手段９は、該細部系統図の前後の系統図番号の細部系統図を系統図データ記憶手段６から呼び出し、シームレスに切替え表示する。なお、現在表示されている細部系統図の系統図番号に対して、前の系統図番号の細部系統図を表示させる場合と、後ろの系統図番号の細部系統図を表示させる場合では、スライド方向が反対となる。
【００３１】
スライド操作は、監視画面のウィンドウ画面にポインタを接触させた状態で、ほぼ一定方向に行われる。本実施の形態３では、ポインタとしてオペレータの手指を用い、指１本によるタッチ操作と区別するために、複数本（２本）の手指によりスライド操作を行うようにしている。なお、スライド操作を１本の手指で行うようにしてもよいが、その場合にはタッチ操作の際に数ｍｓｅｃの処理待ちをプログラムに組む必要がある。
【００３２】
本実施の形態３に係るプラント監視装置の動作について、図７のフローチャートを用いて説明する。なお、図７中、Ｓ１〜Ｓ８は上記実施の形態２の図５と同じ内容であり、Ｓ１〜Ｓ７については説明を省略する。Ｓ８において、画面切替手段９は、タッチされた細部系統図の拡大表示を出力処理手段７へ伝達し、Ｓ６においてタッチされた細部系統図がウィンドウ画面に拡大表示される。
【００３３】
続いて、ステップ９（Ｓ９）において、画面操作判別手段４１は、ウィンドウ画面への指２本でのスライド操作の有無を判別する。Ｓ９において、指２本でのスライド操作があった場合（ＹＥＳ）、ステップ１０（Ｓ１０）に進み、画面切替手段９は、現在表示されている細部系統図の次（前後）の系統図番号の細部系統図を表示するよう出力処理手段７へ伝達する。これにより、Ｓ６において表示手段２への表示が実行され、次の系統図番号の細部系統図がウィンドウ画面に表示される。また、Ｓ９においてスライド操作がなかった場合（ＮＯ）は、Ｓ８のウィンドウ画面のままで処理が終了する。
【００３４】
図８は、本実施の形態３に係るプラント監視装置１の監視画面に表示される画像の具体例を示している。なお、図８中、図６と同一、相当部分には同一符号を付している。図８（ａ）では、オペレータの２本の手指により、ウィンドウ画面２３に拡大表示されたＤ細部系統図３０４に対して左方向にスライド操作を行っている。これにより、図８（ｂ）に示すように、Ｄ細部系統図３０４の次の系統図番号であるＥ細部系統図３０５が系統図データ記憶手段６から呼び出され、ウィンドウ画面２３に表示される。
【００３５】
なお、本実施の形態３では、系統図データ記憶手段６は、左右方向に互いに隣接する系統部位の細部系統図を一列に並べた状態で系統図番号を付して記憶しているが、すべての細部系統図を上下左右方向に繋げた状態で系統図番号を付して記憶するようにした場合、左右方向のみでなく上下や斜め方向のスライド操作も可能となる。
【００３６】
本実施の形態３によれば、上記実施の形態１及び実施の形態２と同様の効果に加え、ウィンドウ画面２３に拡大表示された細部系統図にスライド操作することにより、該細部系統図の前後の系統図番号の細部系統図を表示させることができるため、オペレータはプラントの構造に沿った監視操作を容易に行うことができ、操作性が向上する。
【００３７】
実施の形態４．
図９は、本発明の実施の形態４に係るプラント監視装置の構成を示している。なお、図９中、図４と同一、相当部分には同一符号を付し、説明を省略する。本実施の形態４に係るプラント監視装置１は、上記実施の形態２及び実施の形態３と同様の構成に加え、画面切替手段９によるウィンドウ画面に表示された細部系統図の切替え表示に伴い、監視画面に表示されたプラント全体系統図上の座標枠を移動させる画面追跡手段１０をさらに備えたものである。
【００３８】
本実施の形態４に係るプラント監視装置の動作について、図１０のフローチャートを用いて説明する。なお、図１０中、Ｓ１〜Ｓ１０は上記実施の形態３の図７と同じ内容であり、Ｓ１〜Ｓ８については説明を省略する。Ｓ９において、ウィンドウ画面への指２本でのスライド操作があった場合（ＹＥＳ）、Ｓ１０で画面切替手段９は次の系統図番号の細部系統図を表示するよう出力処理手段７へ伝達する。これにより、Ｓ６において、次の系統図番号の細部系統図がウィンドウ画面に表示される。
【００３９】
さらに、本実施の形態４では、Ｓ９においてスライド操作があった場合（ＹＥＳ）、ステップ１１（Ｓ１１）に進み、プラント全体系統図上の座標枠を、細部系統図の切替え表示と同時に移動するよう出力処理手段７へ伝達し、座標枠がウィンドウ画面に表示されている細部系統図に該当する系統部位を示すようにする。また、Ｓ９においてスライド操作がなかった場合（ＮＯ）は、Ｓ８のウィンドウ画面のままで処理が終了する。
【００４０】
図１１は、本実施の形態４に係るプラント監視装置１の監視画面に表示される画像の具体例を示している。なお、図１１中、図８と同一、相当部分には同一符号を付している。図１１（ａ）では、オペレータの２本の手指により、ウィンドウ画面２３に拡大表示されたＤ細部系統図３０４に対して左方向にスライド操作を行っている。このスライド操作に伴い、指接近座標の近傍を囲む座標枠２２は、右方向（図中矢印方向）に移動している。
【００４１】
その結果、図１１（ｂ）に示すように、Ｄ細部系統図３０４の次の系統図番号のＥ細部系統図３０５が系統図データ記憶手段６から呼び出され、ウィンドウ画面２３に表示される。また、座標枠２２は、Ｅ細部系統図３０５に該当する系統部位を示す位置に固定される。
【００４２】
本実施の形態４によれば、上記実施の形態１〜実施の形態３と同様の効果に加え、ウィンドウ画面２３に表示された細部系統図の切替え表示に伴い、監視画面２ａに表示されたプラント全体系統図３０上の座標枠２２を移動させるようにしたので、オペレータは、どの系統部位を監視しているか視覚的に損なうことなく、継続した監視操作を行うことが可能である。
【００４３】
実施の形態５．
図１２は、本発明の実施の形態５に係るプラント監視装置の構成を示している。なお、図１２中、図４と同一、相当部分には同一符号を付し、説明を省略する。本実施の形態５に係るプラント監視装置１は、上記実施の形態２及び実施の形態３と同様の構成に加え、ウィンドウ画面に表示された細部系統図へのポインタ（ここではオペレータの手指）による複数点同時タッチ操作に対し、そのタッチ数に対応したメニュー画面を抽出する関連メニュー抽出手段１１を備えている。
【００４４】
また、系統図データ記憶手段６に記憶された細部系統図に関連するトレンドデータを記憶するトレンドデータ記憶手段１２を備えている。関連メニュー抽出手段１１は、ウィンドウ画面に表示された細部系統図への３点同時タッチ操作に対して、トレンドデータ記憶手段１２から該細部系統図に関連するトレンドデータ一覧メニューを抽出する。
【００４５】
さらに、系統図データ記憶手段６に記憶された細部系統図に関連するロジックデータを記憶するロジックデータ記憶手段１３を備えている。関連メニュー抽出手段１１は、ウィンドウ画面に表示された細部系統図への２点同時タッチ操作に対して、ロジックデータ記憶手段１３から該細部系統図に関連するロジックデータ一覧メニューを抽出する。なお、関連メニュー抽出手段１１により抽出されたメニュー画面は、出力処理手段７によりウィンドウ画面に表示される。
【００４６】
本実施の形態５に係るプラント監視装置の動作について、図１３のフローチャートを用いて説明する。なお、図１３中、Ｓ１〜Ｓ８は上記実施の形態４の図１０と同じ内容であり、Ｓ１〜Ｓ７については説明を省略する。Ｓ８において、画面切替手段９は、タッチされた細部系統図の拡大表示を出力処理手段７へ伝達し、Ｓ６においてタッチされた細部系統図がウィンドウ画面に拡大表示される。
【００４７】
さらに、ステップ１２（Ｓ１２）において、画面操作判別手段４１は、オペレータによる複数本指でのウィンドウ画面へのタッチ操作の有無を判別し、タッチ操作があった場合（ＹＥＳ）は、ステップ１３（Ｓ１３）またはステップ１５（Ｓ１５）に進む。Ｓ１３では、画面操作判別手段４１は指２本でのタッチ操作を検出し、ステップ１４（Ｓ１４）において、関連メニュー抽出手段１１はウィンドウ画面に表示されている細部系統図に該当するロジックデータを、ロジックデータ記憶手段１３から抽出する。
【００４８】
また、Ｓ１５では、画面操作判別手段４１は指３本でのタッチ操作を検出し、ステップ１６（Ｓ１６）において、関連メニュー抽出手段１１はウィンドウ画面に表示されている細部系統図に該当するトレンドデータを、トレンドデータ記憶手段１２から抽出する。Ｓ１４またはＳ１６に続いて、ステップ１７（Ｓ１７）において一覧メニューが作成され、Ｓ６において、出力処理手段７によりウィンドウ画面に一覧メニューが表示される。また、Ｓ１７に続いてＳ１２に進み、再度、複数本指でのタッチ操作の有無を判別する。Ｓ１２において、複数本指でのタッチ操作がなかった場合（ＮＯ）は、Ｓ８のウィンドウ画面のままで処理が終了する。
【００４９】
図１４は、本実施の形態５に係るプラント監視装置１の監視画面に表示される画像の具体例を示している。なお、図１４中、図１１と同一、相当部分には同一符号を付している。図１４（ａ）では、ウィンドウ画面２３に拡大表示されたＤ細部系統図３０４に対して、オペレータは指２本でのタッチ操作を行っている。これにより、関連メニュー抽出手段１１は、Ｄ細部系統図３０４に関連するロジックデータをロジックデータ記憶手段１３から抽出し、図１４（ｂ）に示すように、ロジックデータ一覧メニュー１３１がウィンドウ画面２３に表示される。
【００５０】
本実施の形態５によれば、上記実施の形態１〜実施の形態３と同様の効果に加え、ウィンドウ画面２３に表示された細部系統図への複数点同時タッチ操作に対し、そのタッチ数に対応したメニュー画面を抽出するようにしたので、細部系統図に関する様々なメニューを容易に呼び出すことが可能となり、操作性がさらに向上する。
【産業上の利用可能性】
【００５１】
本発明は、プラント設備の全体系統図、及び各系統部位の細部系統図を表示する監視画面において、オペレータが監視操作を行うプラント監視装置に利用することができる。
【符号の説明】
【００５２】
１  プラント監視装置、２  表示手段、２ａ  監視画面、３  タッチセンサ、
４  入力処理手段、５  系統図データ抽出手段、６  系統図データ記憶手段、
７  出力処理手段、８  座標計算手段、９  画面切替手段、１０  画面追跡手段、
１１  関連メニュー抽出手段、１２  トレンドデータ記憶手段、
１３  ロジックデータ記憶手段、２１  楕円枠、２２  座標枠、
２３  ウィンドウ画面、３０  プラント全体系統図、４１  画面操作判別手段、
１３１  ロジックデータ一覧メニュー、３０１  Ａ細部系統図、３０２  Ｂ細部系統図、
３０３  Ｃ細部系統図、３０４  Ｄ細部系統図、３０５  Ｅ細部系統図。
【図１】
0005542624.tif 000002
【図２】
0005542624.tif 000003
【図３】
0005542624.tif 000004
【図４】
0005542624.tif 000005
【図５】
0005542624.tif 000006
【図６】
0005542624.tif 000007
【図７】
0005542624.tif 000008
【図８】
0005542624.tif 000009
【図９】
0005542624.tif 000010
【図１０】
0005542624.tif 000011
【図１１】
0005542624.tif 000012
【図１２】
0005542624.tif 000013
【図１３】
0005542624.tif 000014
【図１４】
0005542624.tif 000015